(57)【要約】【課題】飲料ボトルを収納してその壁面に設けた注出ノズルから注出できるようにすることはもちろん、保冷容器を内蔵してワインクーラーのようにも使用することができ、しかもワインの試飲会やワインフェア等においても有意義に使用することができるように移動可能としたワイン樽風飲料サーバーを提供する。【解決手段】ワイン樽の形状を模したワイン樽風飲料サーバーであって、仕切り板を介して上下方向に少なくとも２分割してあり、１段目内部には飲料ボトルの保持部が設けてあって、該飲料ボトルの口は樽状ハウジングの壁面に取り付けた注出ノズルに連結されており、２段目内部には飲料ボトルの保冷容器が内蔵され、該保冷容器の飲料ボトルは樽状ハウジングの壁面に取り付けた開閉扉から取り出し可能となっており、前記樽状ハウジングの底面には複数のキャスターを取り付けて走行可能としたことを特徴とするワイン樽風飲料サーバー。【選択図】図４
0003211421.tif 000002
【実用新案登録請求の範囲】
【請求項１】
ワイン樽の形状を模したワイン樽風飲料サーバーであって、仕切り板を介して上下方向に少なくとも２分割してあり、１段目内部には飲料ボトルの保持部が設けてあって、該飲料ボトルの口は樽状ハウジングの壁面に取り付けた注出ノズルに連結されており、２段目内部には飲料ボトルの保冷容器が内蔵され、該保冷容器の飲料ボトルは樽状ハウジングの壁面に取り付けた開閉扉から取り出し可能となっており、前記樽状ハウジングの底面には複数のキャスターを取り付けて走行可能としたことを特徴とするワイン樽風飲料サーバー。
【請求項２】
前記飲料ボトルの保持部は、前記飲料ボトルの口が斜め下向きに傾斜するよう前記１段目内部に設けられていることを特徴とするワイン樽風飲料サーバー。
【請求項３】
前記ワイン樽風飲料サーバーは、前記飲料ボトルの保冷容器が内蔵された２段目内部に空きスペースを備え、該空きスペースに飲料用袋を収納して、該飲料用袋の口は樽状ハウジングの壁面に取り付けた注出ノズルに連結されていることを特徴とする請求項１または２に記載のワイン樽風飲料サーバー。
【請求項４】
前記ワイン樽風飲料サーバーは、仕切り板を介して最下段が配設されており、該最下段には前記キャスターを昇降させる昇降手段が内蔵してあり、前記キャスターは前記昇降手段を伸ばして前記樽状ハウジングの底面から突き出させた走行モードと、前記昇降手段を縮めて前記樽状ハウジングの底面内に収納した着地モードとを切替可能としたことを特徴とする請求項１ないし３のいずれかに記載のワイン樽風飲料サーバー。
【請求項５】
前記ワイン樽風飲料サーバーは、前記樽状ハウジングの天板が取り外し可能となっており、かつ該天板に取り付けた取手を介して該天板が持ち運び可能となっていて、飲料を収納したグラス類のトレイとして使用できるようにしたことを特徴とする請求項１ないし４のいずれか記載のワイン樽風飲料サーバー。
【請求項６】
前記ワイン樽風飲料サーバーは、前記樽状ハウジングとして使用済のワイン樽を利用するようにしたことを特徴とする請求項１ないし５のいずれかに記載の前記ワイン樽風飲料サーバー。
【考案の詳細な説明】
【技術分野】
【０００１】
本考案は、ワインを熟成させるワイン樽風の飲料サーバーに係り、ワインの試飲会やワインフェア等に好適に用いることができるワイン樽風飲料サーバーに関するものである。
【背景技術】
【０００２】
ワインを収納してワインを熟成させるために使用するワイン樽は、その用途が終わった後は廃棄するしかなく、まれに花壇やその他の容器として使用したり、特開２００７−９１３３４号公報（特許文献１参照）、米国特許第７３９８８８９号明細書（特許文献２参照）、米国特許第９０９０４４３号明細書（特許文献３参照）のように単に中空内部に飲料を収納したり、収納した飲料袋等から壁面に設けた注出ノズルから注出できる構造として、再利用することが行われている。
【０００３】
しかしながらこれらの考案は、単にワイン樽を飲料ボトルや飲料用袋状容器等を収納して再利用することができるにすぎないため、ワイン樽を有効活用することができるようには構成されていない。
【先行技術文献】
【特許文献】
【０００４】
【特許文献１】特開２００７−９１３３４号公報
【特許文献２】米国特許第７３９８８８９号明細書
【特許文献３】米国特許第９０９０４４３号明細書
【考案の概要】
【考案が解決しようとする課題】
【０００５】
本考案は、ワイン樽を有効に活用することができるようにすることを目的とするものであって、飲料ボトルを収納してその壁面に設けた注出ノズルから注出できるようにすることはもちろん、保冷容器を内蔵してワインクーラーのようにも使用することができ、しかもワインの試飲会やワインフェア等においても有意義に使用することができるように移動可能としたワイン樽風飲料サーバーを提供することを目的とするものである。
【課題を解決するための手段】
【０００６】
請求項１に記載のワイン樽風飲料サーバーは、ワイン樽の形状を模したワイン樽風飲料サーバーであって、仕切り板を介して上下方向に少なくとも２分割してあり、１段目内部には飲料ボトルの保持部が設けてあって、該飲料ボトルの口は樽状ハウジングの壁面に取り付けた注出ノズルに連結されており、２段目内部には飲料ボトルの保冷容器が内蔵され、該保冷容器の飲料ボトルは樽状ハウジングの壁面に取り付けた開閉扉から取り出し可能となっており、前記樽状ハウジングの底面には複数のキャスターを取り付けて走行可能としたことを特徴とするものである。
【０００７】
請求項２に記載のワイン樽風飲料サーバーにおいて、前記飲料ボトルの保持部は、前記飲料ボトルの口が斜め下向きに傾斜するよう前記１段目内部に設けられていることをも特徴とするものである。
【０００８】
請求項３に記載のワイン樽風飲料サーバーにおいて、前記ワイン樽風飲料サーバーは、前記飲料ボトルの保冷容器が内蔵された２段目内部に空きスペースを備え、該空きスペースに飲料用袋を収納して、該飲料用袋の口は樽状ハウジングの壁面に取り付けた注出ノズルに連結されていることをも特徴とするものである。
【０００９】
請求項４に記載のワイン樽風飲料サーバーにおいて、前記ワイン樽風飲料サーバーは、仕切り板を介して最下段が配設されており、該最下段には前記キャスターを昇降させる昇降手段が内蔵してあり、前記キャスターは前記昇降手段を伸ばして前記樽状ハウジングの底面から突き出させた走行モードと、前記昇降手段を縮めて前記樽状ハウジングの底面内に収納した着地モードとを切替可能としたことをも特徴とするものである。
【００１０】
請求項５に記載のワイン樽風飲料サーバーにおいて、前記ワイン樽風飲料サーバーは、前記樽状ハウジングの天板が取り外し可能となっており、かつ該天板に取り付けた取手を介して該天板が持ち運び可能となっていて、飲料を収納したグラス類のトレイとして使用できるようにしたことをも特徴とするものである。
【００１１】
請求項６に記載のワイン樽風飲料サーバーにおいて、前記ワイン樽風飲料サーバーは、前記樽状ハウジングとして使用済のワイン樽を利用するようにしたことをも特徴とするものである。
【考案の効果】
【００１２】
請求項１の考案におけるワイン樽風飲料サーバーは、ワイン樽の形状を模したワイン樽風飲料サーバーであって、多段に形成した１段目内部には飲料ボトルの保持部が形成され、２段目内部には飲料ボトルの保冷容器が内蔵されており、前記樽状ハウジングの底面には複数のキャスターを取り付けて走行可能としてある。
したがって、この考案のワイン樽風飲料サーバーをワインの試飲会やワインフェア等に使用すれば、ワイン産地の雰囲気を醸し出すことが期待でき、また高級感も生まれ、試飲会やワインフェア等でのワイン産地を前面に出したディスプレイ効果が期待できる。
また、本考案におけるワイン樽風飲料サーバーは移動可能であり、誰でも簡単に試飲会やワインフェア等の適宜の場所にセットしたり、場所替えをすることができて便利である。
【００１３】
また請求項２〜５の考案においては、前記飲料ボトルの保持部を工夫したり、前記底面にキャスターを設けて昇降可能としたり、前記２段目内部に設けた空きスペースを有効活用したり、さらには前記樽状ハウジングの天板を給仕用のトレイとして利用したりすることができるようになっていて、非常に多機能となっている。
【００１４】
また請求項６の考案においては、前記樽状ハウジングとして使用済のワイン樽を利用するようにしたので、従来廃棄処分に困っていたワイン樽を非常に有効に活用することができるようになった。
【図面の簡単な説明】
【００１５】
【図１】本考案のワイン樽風飲料サーバーの実施の形態を示す概略側面図である。
【図２】その概略平面図である。
【図３】その概略斜視図である。
【図４】天板を外した状態の概略斜視図である。
【図５】本考案のワイン樽風飲料サーバーの１段目の概略正面図である。
【図６】その概略断面図である。
【図７】その概略斜視図である。
【図８】１段目内部に飲料ボトルの保持部を設けた状態の概略斜視図である。
【図９】前記保持部に飲料ボトルを取り付けた状態の概略斜視図である。
【図１０】その概略斜視図である。
【図１１】２段目内部に配設した保冷容器に飲料ボトルを収納した状態の概略正面図である。
【図１２】前記２段目内部の空きスペースに飲料用袋を配設した状態の概略断面図である。
【図１３】２段目の概略平面図である。
【図１４】前記２段目内部に保冷容器を配設しようとする段階の概略斜視図である。
【図１５】前記２段目内部に保冷容器を配設した状態の概略斜視図である。
【図１６】前記２段目内部に保冷容器を配設し、かつ樽状ハウジングの扉を開いた状態の概略斜視図である。
【図１７】前記２段目内部に保冷容器を配設し、かつ樽状ハウジングおよび保冷容器の扉を開いた状態の概略斜視図である。
【図１８】最下段内部に昇降手段を内蔵させ、昇降手段をたたんだ状態の本考案のワイン樽風飲料サーバーの概略側面図である。
【図１９】その概略断面図である。
【図２０】最下段内部に昇降手段を内蔵させ、昇降手段を伸ばした状態の概略側面図である。
【図２１】その概略断面図である。
【図２２】最下段内部に昇降手段を内蔵させ、昇降手段をたたんだ状態の概略斜視図である。
【図２３】その概略斜視断面図である。
【図２４】最下段内部に昇降手段を内蔵させ、昇降手段を伸ばした状態の概略斜視断面図である。
【図２５】昇降手段の別の実施例を示す概略断面図である。
【図２６】その透視状態の概略斜視図である。
【図２７】昇降手段のさらに別の実施例を示す概略断面図である。
【図２８】その透視状態の概略斜視図である。
【考案を実施するための形態】
【００１６】
以下本考案のワイン樽風飲料サーバーの実施の形態について、図面に基いて詳細に説明する。
図面に示すように、本考案のワイン樽風飲料サーバーは、基本的にはワイン樽の形状を模したワイン樽風飲料サーバーである。すなわち、該ワイン樽風飲料サーバー１１は、ワイン樽に模して木材やプラスチック成形品、ＦＲＰ等やアルミ等の軽金属で形成することができるが、前記樽状ハウジングとして一般的には廃棄処分がなされる使用済のワイン樽を利用することが望ましい。
【００１７】
前記ワイン樽風飲料サーバー１１は、仕切り板１２，１２を介して上下方向に少なくとも２分割してあり、１段目１３の内部には飲料ボトル２１の保持部２２が設けてあって、該飲料ボトル２１の口２１ａは樽状ハウジング１１ａの壁面に取り付けた注出ノズル１４に連結されている。
さらに、２段目１５の内部には別途飲料ボトル３１用の保冷容器３２が内蔵され、該保冷容器３２内の飲料ボトル３１は樽状ハウジング１１ａの壁面に取り付けた開閉扉３３から取り出し可能となっている。３２ａは前記保冷容器３２の内扉である。
また、前記樽状ハウジング１１aの３段目２０の底面には、図１８以下に示すように複数のキャスター４１を取り付けて走行可能としてある。
図において５１は各段１３，１５，２０の間を連結固定し、あるいは取り外して分解するために使用するロック機構で、上段に取り付けたフック５２に係合して固定するようになっている。
【００１８】
図４ないし図７において、前記ワイン樽風飲料サーバー１１の１段目１３には、仕切り板１２上の一定の高さに複数の注出ノズル１４用の貫通孔１４ａが配設してある。
そして、前記飲料ボトル２１の保持部２２は、図８に示すように１段目１３内に配置した飲料ボトル２１の収納用の凹溝２４を形成した保持板２３を備えており、前記飲料ボトル２１の口２１ａを置く台座２５を保持板２３の凹溝２４よりも低くしてある。したがって、図９および図１０に示すように、前記飲料ボトル２１の底面側の端部を保持板２３の凹溝２４にはめ込み、斜め下向きとなるよう傾斜して保持できるようにしてある。
前記飲料ボトル２１の口２１ａは、前記樽状ハウジング１１ａの壁面に取り付けた注出ノズル１４にホース２６等を介して簡単につないだり、取り替えのために取り外したりすることができる。
【００１９】
なお、図２および図３において、前記ワイン樽風飲料サーバー１１は、前記樽状ハウジング１１ａの天板１０１が取り外し可能となっており、かつ該天板１０１に取り付けた取手１０２を介して天板１０１が持ち運び可能となっているので、飲料を収納したグラス類のトレイとして使用することができる。図において１０３はグラス等を収納するために複数設けたグラス収納孔である。
【００２０】
図１１ないし図１３において、前記ワイン樽風飲料サーバー１１の２段目１５内には、別途飲料ボトル３１用の保冷容器３２が内蔵されている。この保冷容器３２としては、断熱材で周囲を囲まれた容器状をなし、前面に内扉３２ａを取り付けた断熱機能を備えたものであることが望ましく、冷却装置を内蔵するようにすることもできる。
なお、前記飲料ボトル３１の保冷容器３２が内蔵された２段目１５の内部には前記保冷容器３２の周囲に空きスペース１６が存在する。
したがって、該空きスペース１６に飲料用袋１７を収納し、該飲料用袋１７の口１７ａは樽状ハウジング１１ａの壁面に取り付けた注出ノズル１８にホース１９等を介して連結されている。
したがって、該注出ノズル１８から前記飲料用袋１７内の水等を適宜注出させれることができる。
前記ワイン樽風飲料サーバー１１の２段目１５内には、図１４に示すように樽状ハウジング１１ａの上部開口部から前記保冷容器３２を落とし込めばよい。図１５は前記２段目１５の内部に保冷容器３２を配設した状態を示している。
前記２段目１５の内部に配設した保冷容器３２から飲料ボトル３１を取り出すに際しては。図１６に示すように樽状ハウジング１１ａの前面に設けた前記開閉扉３３を開き、さらに図１７に示すように内扉３２ａを開けば保冷容器３２から飲料ボトル３１を簡単に取り出すことができる。
【００２１】
次に、図１８ないし図２４は、前記樽状ハウジング１１ａの３段目２０の底面に取り付けた複数のキャスター４１の機能を説明するためのものである。
すなわち、前記ワイン樽風飲料サーバー１１には、仕切り板１２を介して３段目（最下段）２０が配設されており、該３段目２０には複数のキャスター４１を昇降させる昇降手段が内蔵させてある。図ではこの昇降手段として軸ネジ４３の回転を上下方向の昇降に代えるジャッキ４２を採用しており、その上端は仕切り板１２に固定され、また下端には複数のキャスター４１を４隅に取り付けた昇降板４４が固定されている。
したがって、図１８および図１９に示す、前記キャスター４１を前記樽状ハウジングの底面内に収納した着地モードから、クランク状のハンドル４５を回して前記ジャッキ４２を伸ばし、図２０および図２１に示す前記樽状ハウジングの底面から前記キャスター４１を突き出させた走行モードに簡単に切替えることができる。
図２２は前記樽状ハウジング１１ａの３段目２０の斜視図を示し、図２３は着地モードを、図２４は走行モードをそれぞれ示している。
【００２２】
図１８ないし図２４においては、キャスター４１の昇降手段として軸ネジ４３の回転を上下方向の昇降に代えるジャッキ４２を採用しているが、ハンドル４５に一定の長さが必要であるために操作しにくいという面があった。
そこで、図２５および図２６に示すように、軸ネジ６３の回転を上下方向の昇降に代えるジャッキ６２として、軸ネジ６３にＴ字形状のハンドル６４を直結させたものとすることができる。
また、図２７および図２８に示すように、軸ネジ７３の回転を上下方向の昇降に代えるジャッキ７２として、軸ネジ７３先端に設けた連結ピン７３ａを操作レバー７４に設けた係合孔７５に挿通して連結し、該操作レバー７４を操作して前記ジャッキ７２を昇降させるものとすることもできる。
【産業上の利用可能性】
【００２３】
この考案のワイン樽風飲料サーバーは以上のように構成したので、ワインの試飲会やワインフェア等に使用すれば、ワイン産地の雰囲気を醸し出すことが期待でき、また高級感も生まれ、試飲会やワインフェア等でのワイン産地を前面に出したディスプレイ効果が期待できる。
また、考案におけるワイン樽風飲料サーバーは移動可能であり、誰でも簡単に試飲会やワインフェア等の適宜の場所にセットしたり、場所替えをすることができて非常に便利である。
【００２４】
もちろん、本考案の要旨を変更しない限りにおいて、前記以外の用途に適宜使用することができ、そのような用途における使用も本考案の権利の範囲内であることは言うまでもない。
【符号の説明】
【００２５】
１１  ワイン樽風飲料サーバー
１１ａ  樽状ハウジング
１２  仕切り板
１３  １段目
１４  注出ノズル
１４ａ  貫通孔
１５  ２段目
１６  空きスペース
１７  飲料用袋
１７ａ  口
１８  注出ノズル
１９  ホース
２０  ３段目
２１  飲料ボトル
２１ａ  口
２２  保持部
２３  保持板
２４  凹溝
２５  台座
２６  ホース
３１  飲料ボトル
３２  保冷容器
３２ａ  内扉
３３  開閉扉
４１  キャスター
４２  ジャッキ
４３  軸ネジ
４４  昇降板
４５  ハンドル
５１  ロック機構
５２  フック
６２  ジャッキ
６３  軸ネジ
６４  Ｔ字形状のハンドル
７２  ジャッキ
７３  軸ネジ
７３ａ  連結ピン
７４  操作レバー
７５  係合孔
１０１  天板
１０２  取手
１０３  グラス収納孔
【図１】
0003211421.tif 000003
【図２】
0003211421.tif 000004
【図３】
0003211421.tif 000005
【図４】
0003211421.tif 000006
【図５】
0003211421.tif 000007
【図６】
0003211421.tif 000008
【図７】
0003211421.tif 000009
【図８】
0003211421.tif 000010
【図９】
0003211421.tif 000011
【図１０】
0003211421.tif 000012
【図１１】
0003211421.tif 000013
【図１２】
0003211421.tif 000014
【図１３】
0003211421.tif 000015
【図１４】
0003211421.tif 000016
【図１５】
0003211421.tif 000017
【図１６】
0003211421.tif 000018
【図１７】
0003211421.tif 000019
【図１８】
0003211421.tif 000020
【図１９】
0003211421.tif 000021
【図２０】
0003211421.tif 000022
【図２１】
0003211421.tif 000023
【図２２】
0003211421.tif 000024
【図２３】
0003211421.tif 000025
【図２４】
0003211421.tif 000026
【図２５】
0003211421.tif 000027
【図２６】
0003211421.tif 000028
【図２７】
0003211421.tif 000029
【図２８】
0003211421.tif 000030
【手続補正書】
【提出日】平成29年5月11日(2017.5.11)
【手続補正１】
【補正対象書類名】実用新案登録請求の範囲
【補正対象項目名】請求項２
【補正方法】変更
【補正の内容】
【請求項２】
前記飲料ボトルの保持部は、前記飲料ボトルの口が斜め下向きに傾斜するよう前記１段目内部に設けられていることを特徴とする請求項１に記載のワイン樽風飲料サーバー。